(57)【要約】【課題】金属折板葺き屋根のケラバ部分において、歪み変形や漏水の発生を回避できる状態としてケラバカバーを取付けられるようにする。【解決手段】帯状金属折板葺き屋根のケラバ部分を、複数のケラバカバー支持金具１０Ａでケラバカバー２０Ｂを支持した状態で覆ったケラバカバーの取付け構造１Ａであって、固定板１１Ａと固定板１１Ａ上の長手方向所定範囲で摺動自在に付設された摺動支持体１２Ａとからなるケラバカバー支持金具１０Ａが、金属折板４の頂部４２上面でその傾斜方向に固定板１１Ａの長手方向を一致させて固定手段で締結・固定されているとともに、摺動支持体１２Ａの一部が固定手段でケラバカバー２０Ｂに締結・固定されており、ケラバカバー支持金具１０Ａを介してケラバカバー２０Ｂを金属折板４上で所定範囲摺動自在に支持したことにより、熱伸縮で金属折板４とケラバカバー２０Ｂの間に生じた傾斜方向のズレを吸収するものとした。【選択図】図４
2010144462.tif 000002
【特許請求の範囲】
【請求項１】
帯状の金属板を長手方向の折り線で谷折り山折りを繰り返してなる金属折板を並列配置して葺いた屋根のケラバ部分を、複数のケラバカバー支持金具でケラバカバーを支持した状態で覆ったケラバカバーの取付け構造において、
固定板と該固定板上の長手方向所定範囲で摺動自在な状態に付設された摺動支持体とからなる前記ケラバカバー支持金具が、前記金属折板の頂部上面で該金属折板の傾斜方向に前記固定板の長手方向を一致させて所定の固定手段で締結・固定されているとともに、前記摺動支持体の一部が所定の固定手段で前記ケラバカバーに締結・固定されており、前記ケラバカバー支持金具を介して前記ケラバカバーを前記金属折板上で前記所定範囲摺動自在に支持したことにより、熱伸縮で前記金属折板と前記ケラバカバーの間に生じた傾斜方向のズレを吸収する、ことを特徴とするケラバカバーの取付け構造。
【請求項２】
前記金属折板上に締結・固定される前記固定板と、該固定板上に長手方向所定範囲で摺動自在な状態に付設され一部が前記ケラバカバーの一部に締結・固定される前記摺動支持体とからなり、請求項１に記載したケラバカバーの取付け構造において前記金属折板と前記ケラバカバーとの間に介装され前記金属折板上で該金属折板の長手方向所定範囲で前記ケラバカバーを摺動自在に支持する、ことを特徴とするケラバカバー支持金具。
【請求項３】
前記摺動支持体は、少なくとも前記固定板の長手方向に沿う垂直な面と前記金属折板の頂部上面に平行な面の２カ所以上で前記ケラバカバーに締結・固定可能とした形状とされている、ことを特徴とする請求項２に記載したケラバカバー支持金具。
【請求項４】
前記金属折板に取付けた状態で、前記摺動支持体の一部または該摺動支持体から突設された部材が、前記金属折板の上面に当接して前記摺動支持体の摺動動作に対し所定の抵抗力を発揮する係止手段として機能する、ことを特徴とする請求項２または３に記載したケラバカバー支持金具。
【請求項５】
前記係止手段は、前記固定板の長手方向に設けた摺動用スリットを下から挿通して前記摺動支持体を前記固定板に摺動可能な状態で付設させたキノコ状の締結金具の球面状頭部からなる、ことを特徴とする請求項４に記載したケラバカバー支持金具。
【請求項６】
前記固定板上の前記摺動支持体の位置を確認するための目盛り又は目印が、前記固定板上面に傾斜方向所定間隔で表示されている、ことを特徴とする請求項２，３，４または５に記載したケラバカバー支持金具。
【発明の詳細な説明】
【技術分野】
【０００１】
本発明は、ケラバカバーの取付け構造及びケラバカバー支持金具に関し、殊に、金属折板で葺かれた屋根において傾斜方向に対し直角方向の端部（ケラバ）を覆ってその部分の雨仕舞を確保するためのケラバカバーを、金属折板の上方で支持した状態で装着してなる取付け構造、及びそのケラバカバー支持金具に関する。  
【背景技術】
【０００２】
屋根の傾斜方向に対して直角方向の端部側は、一般に「ケラバ」と呼ばれているが、この部分の外観を向上させるとともに雨仕舞を確保する目的で、金属製板材を所定形状に屈曲してなるケラバカバーで覆うことが広く行われている。
【０００３】
図８は、金属板を長手方向に沿う線で谷折り山折りを繰り返して作成した金属折板４を複数枚並列配置した屋根において、そのケラバ側にケラバカバー２０Ａを装着した従来例としてのケラバカバーの取付け構造１Ｃの部分縦断面図を示している。この例では屋根のケラバ側に沿って壁３Ａが立ち上がっており、金属折板４の側端側と壁３Ａが垂直に接合する部分をケラバカバー２０Ａで覆っている。
【０００４】
このケラバカバー２０Ａは、所定形状の金属板を屈曲して作成したものであり、垂直部２２とその下端側から側方に延設された水平部２１とその先端側から延設された傾斜部２０とからなる。そして、その傾斜部２０で金属折板４の傾斜面４１上部側に密着して覆うとともに、水平部２１で金属折板４の接合端部（はぜ折り締結部）４３ａ上方を覆い、垂直部２２が壁３Ａの中に挿入した状態で装着され、金属折板４の側端部を含むケラバ部分を完全に覆ってこの部分の雨仕舞を確保している。また、このケラバカバー２０Ａは、金属折板４の一部に密着した傾斜部２０を外側からドリルビス５１等の固定手段を用いて貫通させて締結・固定されている。
【０００５】
ところで、金属折板４で葺かれた屋根の上は、夏場の日中は屋根表面温度が８０℃以上に上がり冬場には氷点下に下がるような温度変化の極めて激しい場所である。そのため、大型屋根に用いる長尺の金属折板４では、その傾斜方向の長さにおける熱伸縮による変動幅が数センチ以上にも及び、その伸縮幅と屋根構造体側の伸縮幅との差でズレが生じて、ケラバカバー２０Ａを金属折板４上に固定しているドリルビス５１の貫通孔が拡大して緩みが生じたり、金属折板４自体やケラバカバー２０Ａに歪み変形を生じたりして、外観が悪化するとともに隙間からの雨水の浸入を招いてしまうという問題がある。
【０００６】
この問題は、図８に示したものと同様に一般的に実施されている図１０に示すケラバカバーの取付け構造１Ｅや図１１に示すケラバカバーの取付け構造１Ｆのように、ケラバカバー２０Ｃ，２０Ｄが屋根のケラバ部分から垂直な壁面に直角に続く角部を形成するような場合であっても、同様である。これに対し、特開平８−４２０７５号公報や特開２００６−４５８７４号公報には、ケラバカバー支持金具を屋根側の構造体であるタイトフレーム等に固定するとともに、金属折板はその側端側をケラバカバー支持金具の一部に嵌め込み固定したことにより、金属折板側にはビス孔を設けずにケラバカバーを支持可能としたケラバカバーの取付け構造が記載されている。
【０００７】
このように、金属折板にビスを貫通させない状態でケラバカバー支持・装着する取付け構造においては、ビス孔から金属折板の内側に雨水が侵入する心配のないものとなる。しかし、この場合でも金属折板が支持金具に嵌め込み固定されている部分は熱伸縮の差を吸収するだけの摺動は期待できないため、熱伸縮の差によるズレで金属折板やケラバカバーに歪み変形を生じる問題は解消されていない。
【０００８】
また、図９のような構造もケラバカバーの取付け構造の一例であり、ケラバカバー支持金具１０Ｃを金属折板４の頂部４２にボルト１５を介して固定し、その上に板材等を介し幅広のケラバカバー２０Ｂを載せて、上からドリルビス５１，５１でケラバカバー支持金具１０Ｃまで貫通させて締結・固定したケラバカバー２０Ｂの取付け構造１Ｄを示している。この場合も金属折板４にはビス孔を設けないものであるが、前述した熱伸縮の差によるズレで歪み変形が生じる問題は、このようにケラバカバー２０Ｂがケラバ部分を越えて大きく覆うものでも、ケラバカバー２０Ｂの一部が屋根構造体側に固定されている限り同様に生じうるものである。
【特許文献１】特開平８−４２０７５号公報
【特許文献２】特開２００６−４５８７４号公報
【発明の開示】
【発明が解決しようとする課題】
【０００９】
本発明は、上記のような問題点を解決しようとするものであり、金属折板葺き屋根のケラバ部分において、歪み変形や漏水の発生を回避できる状態でケラバカバーを取り付けられるようにすることを課題とする。
【課題を解決するための手段】
【００１０】
そこで、本発明は、帯状の金属板を長手方向の折り線で谷折り山折りを繰り返してなる金属折板を並列配置して葺いた屋根のケラバ部分を、複数のケラバカバー支持金具でケラバカバーを支持した状態で覆ったケラバカバーの取付け構造において、固定板と固定板上の長手方向所定範囲で摺動自在な状態に付設された摺動支持体とからなるケラバカバー支持金具が、金属折板の頂部上面でその傾斜方向に固定板の長手方向を一致させて所定の固定手段で締結・固定されているとともに、摺動支持体の一部が所定の固定手段でケラバカバーに締結・固定されており、ケラバカバー支持金具を介してケラバカバーを金属折板上で所定範囲摺動自在に支持したことにより熱伸縮で金属折板とケラバカバーの間に生じた傾斜方向のズレを吸収する、ことを特徴とするケラバカバーの取付け構造とした。
【００１１】
このように、ケラバカバー支持金具の固定板をビス等の固定手段で金属折板に固定し、その固定板上でその長手方向（傾斜方向）に沿う所定範囲で摺動自在な状態に設けた摺動支持体に、ケラバカバーの一部を締結・固定して取付ける構造としたことにより、金属折板が熱伸縮して傾斜方向に動作しても、その動きを摺動支持体の摺動で吸収し、ケラバカバーとの固定部分における応力の発生を回避して歪み変形やこれに伴う漏水の発生を防止できるものとなる。
【００１２】
また、金属折板上に締結・固定される固定板と、この固定板上にその長手方向所定範囲で摺動自在な状態に付設されその一部がケラバカバーの一部に締結・固定される摺動支持体とからなり、前述したケラバカバーの取付け構造において金属折板とケラバカバーとの間に介装され金属折板上で金属折板の長手方向所定範囲でケラバカバーを摺動自在に支持する、ことを特徴としたケラバカバー支持金具とすれば、これを用いるだけで、上述したケラバカバーの取付け構造が簡易な手順で形成されて上述した機能を容易に発揮できるものとなる。
【００１３】
さらに、そのケラバカバー支持金具の摺動支持体は、少なくとも固定板の長手方向に沿う垂直な面と金属折板頂部上面に平行な面の２カ所以上でケラバカバーに締結・固定可能とした形状とされていることを特徴としたものとすれば、そのいずれか一方の面がケラバカバーの垂直面又は水平面のいずれか一方に当接することにより、ビス等で容易に取付け可能なものとなる。
【００１４】
さらにまた、上述したケラバカバー支持金具は、金属折板に取付けた状態でその摺動支持体の一部または摺動支持体から突設された部材が、金属折板の上面に当接して摺動支持体の摺動動作に対し所定の抵抗力を発揮する係止手段として機能する、ことを特徴としたものとすれば、ケラバカバーの取付け時に摺動支持体が固定板上でズレ動きにくくなるため、その位置決め作業が容易なものとなる。
【００１５】
加えて、この係止手段として機能する摺動支持体を備えたケラバカバー支持金具において、その係止手段が固定板の長手方向に設けた摺動用スリットを下から挿通して摺動支持体を固定板に摺動可能な状態で付設させたキノコ状の締結金具の球面状頭部からなるものとすれば、取付け作業時に摺動支持体をズレ動きにくくする適度な係止力を発揮しながら、金属折板の熱伸縮時には摺動支持体の摺動を過剰に妨げないもとなる。
【００１６】
さらに加えて、上述したケラバカバー支持金具において、固定板上の摺動支持体の位置を確認するための目盛り又は目印が、固定板上面に傾斜方向所定間隔で表示されていることを特徴としたものとすれば、作業時の気温を考慮しながら金属折板の予想される最大熱伸縮量に応じて適切な摺動支持体の位置決め作業が容易に行われるものとなる。
【発明の効果】
【００１７】
ケラバカバー支持金具の固定板を金属折板側に固定し、その上に長手方向に沿う所定範囲摺動自在な状態で付設した摺動支持体にケラバカバーを取付けるものとした本発明によると、金属折板葺きの屋根においてケラバ部分の歪み変形や漏水の発生を回避可能な状態として、ケラバカバーを取付けることができるものである。
【発明を実施するための最良の形態】
【００１８】
以下に、図面を参照しながら本発明を実施するための最良の形態を説明する。尚、本発明において、ケラバカバー支持金具を金属折板やケラバカバーに固定手段で締結・固定することには、両部材を密着させて直接的に締結・固定することのほか、間に所定の部材を介装させて締結・固定することも含むものとする。
【００１９】
図１は、本実施の形態のケラバカバーの取付け構造において用いられるケラバカバー支持金具１０Ａの斜視図を示しており、図２（Ａ）はケラバカバー支持金具１０Ａの正面図、図２（Ｂ）はその縦断面図を示している。このケラバカバー支持金具１０Ａは、短冊状の固定板１１Ａと、固定板１１Ａの上でその長手方向所定範囲で摺動自在に付設された摺動支持体１２Ａの、２つの金属製部材を組み合わせてなるものである。  
【００２０】
固定板１１Ａは、短冊状の金属板のうち長手方向約８分の１の幅で両端部側が金属折板側に密着して締結される部分である締結部１１１，１１２となっており、両締結部１１１，１１２の間の部分がほぼ当該金属板の厚さ分だけ高い位置に持ち上げられてブリッジ状とされた摺動面部１１０となっており、その中心軸位置に長手方向に沿う摺動用のスリット１１０ａが上下に貫通して設けられている。
【００２１】
そして、両締結部１１１，１１２の略中央部分には、ネジ孔１１１ａ，１１２ａが各々上下に貫通して設けられており、ビス等の固定手段で金属折板の頂部上面に締結・固定されるようになっている。尚、両締結部１１１，１１２の裏面に、図に示したようなゴム板等からなるクッション材１１３，１１４を各々貼付することにより、締結作業で金属折板の表面を傷つけないように保護するとともに漏水防止用のシール材として機能させることが推奨される。
【００２２】
摺動支持体１２Ａは、長手方向に対し直角の奥行き方向の幅が固定板１１Ａとほぼ同じであって、その長手方向を固定板１１Ａの長手方向に一致させた状態で固定板１１Ａ上に付設される略筺状の部材であり、図２（Ａ）に示すように左右下端側から長手方向両側に延設された略方形の取付けフランジ１２０ｃ，１２０ｄを有しており、これらの各中央部が固定板１１Ａの下側からスリット１１０ａを挿通したキノコ状の締結金具であるリベット１２１，１２２で締結されている。このように、両リベット１２１，１２２がスリット１１０ａ内で長さ方向に摺動可能とされていることにより、摺動支持体１２Ａは固定板１１Ａ上でその長手方向に所定範囲で摺動自在に付設されており、この点が本発明の特徴部分となっている。
【００２３】
また、摺動支持体１２Ａは、取付けフランジ１２０ｃ，１２０ｄから各々立ち上がって続く左右の側面１２０ｅ，１２０ｆと、これらの上端側を接続し固定板１１Ａ及び金属折板の頂部に対し平行な面を形成する上面１２０ａと、略長方形の上面１２０ａの一方の長辺から下向きに延設され固定板１１Ａの長手方向に沿う垂直な面を形成する前面１２０ｂとからなり、前面１２０ｂの対向側が開放した略筺状に形成されており、その上面１２０ａまたは前面１２０ｂのいずれかがケラバカバーの内面所定箇所に当接した状態で、ドリルビス等の固定手段により互い締結・固定されて、ケラバカバーを金属折板の上方で支持するようになっている。
【００２４】
図３は、ケラバカバー支持金具１０Ａを金属折板４に取り付けた状態の一例を示す部分斜視図である。ケラバカバー支持金具１０Ａは、その奥行き方向の幅が金属折板４の頂部に形成された頂面４２の幅に収まるようになっており、はぜ折り式の接合端部４３ａの側方で長手方向を金属折板４の長手方向に一致させた状態にして、ドリルビス５２，５２等の固定手段を用いて金属折板４上に締結・固定されている。尚、接合端部４３ａは、隣の金属折板４の接合端部４３ｂと噛み合わされて金属折板４，４同士を連結させる連結部４３を構成する。
【００２５】
図４は、図３のようにケラバカバー支持金具１０Ａを金属折板４上に設けてから、これにケラバカバー２０Ｂを取付けた状態とした、ケラバカバーの取付け構造１Ａの縦断面図を示している。この実施の形態では、図９の従来例によるケラバカバーの取付け構造１Ｄのケラバカバー支持金具１０Ｃを、前述したケラバカバー支持金具１０Ａに置き換えたものとなっている。
【００２６】
ケラバカバー支持金具１０Ａは、図３に示したように固定板１１Ａが金属折板４の頂面４２上に固定されており、その固定板１１Ａ上に付設された摺動支持体１２Ａの上面１２０ａに、所定の板材を挟んでケラバカバー２０Ｂを支持した状態として、ドリルビス５１を用いて締結・固定されている。そして、前述したように、この摺動支持体１２Ａが固定板１１Ａの上で傾斜方向に所定範囲で摺動自在となっていることにより、金属折板４とケラバカバー２０Ｂ側との熱伸縮の差で生じたズレを吸収できるようになっている。
【００２７】
図５は、前述した図４のケラバカバーの取付け構造１Ａの応用例として、ケラバカバー支持金具１０Ａを金属折板４とケラバカバー２０Ａ’との間に介装した場合におけるケラバカバーの取付け構造１Ｂであり、ケラバカバー支持金具１０Ａの中心部を奥行き方向縦向きに切断した面による部分縦断面を示したものである。
【００２８】
ケラバカバー２０Ａ’は、図８に示したケラバカバー２０Ａの水平部２１から続く傾斜部２０が、その基端側をケラバカバー支持金具１０Ａの断面形状に合うように変形させて垂直面とし、ケラバカバー支持金具１０Ａの上面１２０ａと前面１２０ｂの両方に密着するようにしたものであり、ケラバカバー２０Ａ’と前面１２０ｂとを外側から横向きに貫通したドリルビス５１により互い締結・固定された状態となっている。
【００２９】
図６（Ａ），（Ｂ）は、前述のケラバカバーの取付け構造１Ｂのようにドリルビス５１でケラバカバー２０Ａ’及び摺動支持体１２Ａの前面１２０ｂを横向きに貫通して締結・固定するのではなく、ケラバカバー２０Ａ’の水平部２１及び摺動支持体１２Ａの上面１２０ａをドリルビス５３で上下に貫通させてケラバカバー２０Ａ’と締結・固定した場合であって、固定板１１Ａのスリット１１０ａに沿って縦向きに切断した部分縦断面図を示しており、ケラバカバー支持金具１０Ａにおける摺動支持体１２Ａの動作を説明するためのものある。
【００３０】
図６（Ａ）の取付け直後から、気温変化により金属折板４が熱伸縮して図６（Ｂ）のように図中左にズレ動いた場合、摺動支持体１２Ａは固定板１１Ａのスリット１１０ａを挿通したリベット１２１，１２２で締結・固定されている関係で、リベット１２１，１２２がスリット１１０ａの端部に当接するまでの範囲は摺動可能となっており、図のようにケラバカバー２０Ａ’（及び屋根構造体）側と金属折板４の熱伸縮の度合いの差で生じたズレ分を充分に吸収可能となっており、締結部及び両部材に応力が生じて歪み変形が生じることを回避可能としている。従って、両部材の締結・固定部分において外観が悪化したり漏水が発生したりする問題が最小限に抑えられるものとなる。
【００３１】
また、図６（Ａ）の取付け直後の状態において、両リベット１２１，１２２の頭部１２１ａ，１２２ａの各球面が、金属折板４の上面に当接した状態となっていることが分かるが、これは、ケラバカバー支持金具１０Ａを金属折板４上に固定した状態で、摺動支持体１２Ａが自由に摺動しないように所定の抵抗力を発揮する係止手段として機能するように各寸法を調整したことによるものである。
【００３２】
これにより、ケラバカバー２０Ａ’の取付け作業時に、摺動支持体１２Ａがズレ動きにくくなって固定金具１１Ａ上での位置を任意の位置に設定しやすいものとなる。尚、固定金具１１Ａがクッション材１１３，１１４を介して金属折板４上に固定され、摺動支持体１２Ａの上から所定の荷重がかかるようになっているが、このクッション材１１３，１１４による上下方向の弾性変形能で、両リベット１２１，１２２の係止手段としての抵抗力を適度な状態に調整している。また、クッション材１１３，１１４をドリルビス５２，５２で貫通して固定板１１Ａを金属折板４に締結・固定したことにより、クッション材１１３，１１４がシール材としての機能も発揮するため、この部分の防水性が確実なものとなっている。
【００３３】
図７は、上述したケラバカバー支持金具１０Ａの応用例としてのケラバカバー支持金具１０Ｂを示す斜視図である。この場合、固定板１１Ｂの上面にその長手方向に所定間隔で目盛りと数字が表示されており、摺動支持体１２Ａの固定板１１Ｂ上の傾斜方向における位置をケラバカバー支持金具１０Ｂの側端線を基準にして確認できるようにしたものである。
【００３４】
即ち、前述したように、金属折板は温度変化により傾斜方向に伸縮するものであるが、ケラバカバー取付け時の気温による金属折板の長さを基準にして、金属折板が夏場に最も長くなった場合と冬場に最も短くなった場合とを想定して、摺動支持体１２Ｂがケラバカバー側とのズレを充分に吸収できるような固定板１１Ｂ上の位置にして取付ける必要がある。従って、従来の経験等に基いて最も適切な位置を予め決めておくことで、複数の作業員が同時に取付け作業を行うような場合であっても、全体として統一のとれたものとすることができる。
【００３５】
また、長い金属折板にケラバカバーを取付ける場合において、同一の金属折板上であっても温度環境の異なる部分が生じるケースでは、ケラバカバー支持金具１０Ｂの配置位置により熱伸縮によるズレの度合いが異なる場合もあるため、これを予め想定して同一金属折板上においても微調整を行うようにしてもよい。
【００３６】
尚、上述の説明では、従来例としてのケラバカバーの取付け構造１Ｃ，１Ｄに本発明を適用した場合を説明したが、図１０，図１１に記載した従来例のケラバカバーの取付け構造１Ｅ，１Ｆに本発明を適用する場合でも、上記同様の作用・効果が得られることは言うまでもない。
【００３７】
以上、述べたように、本発明により、金属折板葺き屋根のケラバ部分において、歪みや漏水の発生を回避可能な状態としてケラバカバーを取付けることができるようになった。
【図面の簡単な説明】
【００３８】
【図１】本発明における実施の形態のケラバカバーの取付け構造で用いられるケラバカバー支持金具の斜視図。
【図２】（Ａ）は図１のケラバカバー支持金具の正面図、（Ｂ）は（Ａ）の縦断面図。
【図３】図１のケラバカバー支持金具を金属折板に取り付けた状態の一例を示す部分斜視図。
【図４】本実施の形態のケラバカバーの取付け構造を示す部分縦断面図。
【図５】図４のケラバカバーの取付け構造の応用例を示す部分縦断面図。
【図６】（Ａ），（Ｂ）はケラバカバーの取付け構造におけるケラバカバー支持金具の動作を説明するための部分縦断面図。
【図７】図１のケラバカバー支持金具の応用例を示す斜視図。
【図８】従来例のケラバカバーの取付け構造を示す縦断面図。
【図９】従来例のケラバカバーの取付け構造を示す縦断面図。
【図１０】従来例のケラバカバーの取付け構造を示す縦断面図。
【図１１】従来例のケラバカバーの取付け構造を示す縦断面図。
【符号の説明】
【００３９】
１Ａ，１Ｂ  ケラバカバーの取付け構造、４  金属折板、１０Ａ，１０Ｂ  ケラバカバー支持金具、１１Ａ，１１Ｂ  固定金具、１２Ａ，１２Ｂ  摺動支持体、２０Ａ，２０Ａ’，２０Ｂ  ケラバカバー、４２  頂面、５１，５２，５３  ドリルビス、１１０ａ  スリット、１１８  目盛り、１１９  数字、１２０ａ  上面、１２０ｂ  前面、１２１，１２２  リベット、１２１ａ，１２２ａ  頭部
【図１】
2010144462.tif 000003
【図２】
2010144462.tif 000004
【図３】
2010144462.tif 000005
【図４】
2010144462.tif 000006
【図５】
2010144462.tif 000007
【図６】
2010144462.tif 000008
【図７】
2010144462.tif 000009
【図８】
2010144462.tif 000010
【図９】
2010144462.tif 000011
【図１０】
2010144462.tif 000012
【図１１】
2010144462.tif 000013